【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
画像若しくは音又はそれらの双方から成る情報を提示するための装置であって、
a) 携帯情報端末の接近を検出するとともに、携帯情報端末が接近したとき、該携帯情報端末より該携帯情報端末の識別情報を受信する携帯情報端末接近検出部と、
b) 前記携帯情報端末の識別情報を所定のサーバに送信する識別情報送信部と、
c) 前記識別情報に対応して前記サーバより送信されてくる情報提示関連データを受信する情報提示関連データ受信部と、
d) 前記情報提示関連データに基づき、画像の表示若しくは音の発出又はそれらの双方を行うための制御を行う情報提示制御部と
を備えることを特徴とする情報提示装置。
【請求項２】
前記携帯情報端末接近検出部、前記識別情報送信部、及び前記情報提示関連データ受信部が近距離無線通信機能付きリムーバブルメディアから成ることを特徴とする請求項１に記載の情報提示装置。
【請求項３】
更に、前記識別情報に対応して前記サーバより送信されてくる携帯情報端末用表示データを受信する携帯情報端末用表示データ受信部と、
前記携帯情報端末に前記携帯情報端末用表示データを送信する携帯情報端末用表示データ送信部と
を備えることを特徴とする請求項１又は２に記載の情報提示装置。
【請求項４】
前記携帯情報端末用表示情報送信部が更に、データに基づいて画像を前記携帯情報端末に表示させるためのソフトウエアを起動させるソフトウエア起動指示信号を該携帯情報端末に送信することを特徴とする請求項３に記載の情報提示装置。
【請求項５】
前記携帯情報端末用表示データがインターネットアドレスであることを特徴とする請求項３又は４に記載の情報提示装置。
【請求項６】
更に、携帯情報端末が接近したことを前記携帯情報端末接近検出部が検出した時刻及び該携帯情報端末が該携帯情報端末接近検出部によって検出されなくなった時刻のデータを前記サーバに送信する滞在時間情報送信部を備えることを特徴とする請求項１〜５のいずれかに記載の情報提示装置。
【請求項７】
更に、前記携帯情報端末接近検出部が携帯情報端末を検出した数を計数する接近端末計数部を備えることを特徴とする請求項１〜６のいずれかに記載の情報提示装置。
【請求項８】
更に、携帯情報端末から送信される情報提示装置の管理のための管理情報と、該情報提示装置に固有の情報提示装置識別情報を前記サーバに送信する情報提示装置管理情報送信部を備えることを特徴とする請求項１〜７のいずれかに記載の情報提示装置。
【請求項９】
画像若しくは音又はそれらの双方から成る情報を提示する情報提示装置を管理するためのサーバであって、
a) 前記情報提示装置に所定の携帯情報端末が接近したとき、該情報提示装置が該携帯情報端末から受信し、該情報提示装置から送信されてくる該携帯情報端末の識別情報を受信する識別情報受信部と、
b) 前記識別情報に対応して情報提示関連データを前記情報提示装置に送信する情報提示関連データ送信部と
を備えることを特徴とする情報提示装置用サーバ。
【請求項１０】
更に、前記識別情報が顧客の携帯情報端末の識別情報であったとき、該携帯情報端末に携帯情報端末用表示データを送信するサーバ側携帯情報端末用表示データ送信部を備えることを特徴とする請求項９に記載の情報提示装置用サーバ。
【請求項１１】
画像若しくは音又はそれらの双方から成る情報を提示するための情報提示装置に装着される近距離無線通信機能付きのリムーバブルメディアであって、
a) 携帯情報端末の接近を検出するとともに、携帯情報端末が接近したとき、該携帯情報端末より該携帯情報端末の識別情報を受信する携帯情報端末接近検出部と、
b) 前記携帯情報端末の識別情報を所定のサーバに送信する識別情報送信部と、
c) 前記識別情報に対応して前記サーバより送信されてくる情報提示関連データを受信する情報提示関連データ受信部と
としての機能を備えることを特徴とするリムーバブルメディア。
【請求項１２】
画像若しくは音又はそれらの双方から成る情報を提示するための装置であって、
a) 携帯情報端末の接近を検出するとともに、携帯情報端末が接近したとき、該携帯情報端末より該携帯情報端末の識別情報を受信する携帯情報端末接近検出部と、
b) 複数の情報提示関連データと、該複数の情報提示関連データの各々に対応付けられた、該情報提示関連データが対象とする顧客の属性を示す顧客属性対応付けデータを所定のサーバから直接又は間接的に受信する情報提示関連・顧客属性対応付けデータ受信部と、
c) 前記情報提示関連・顧客属性対応付けデータ受信部で受信したデータを保存するデータ保存部と、
d) 携帯情報端末が接近したことを前記携帯情報端末接近検出部が検出したとき、前記データ保存部に保存されている複数の前記顧客属性対応付けデータを該携帯情報端末に送信する顧客属性対応付けデータ送信部と、
e) 前記顧客属性対応付けデータ送信部から前記携帯情報端末に送信された複数の顧客属性対応付けデータと該携帯情報端末に登録された顧客の属性を示す顧客属性データに基づいて、該携帯情報端末が選択した顧客属性対応付けデータを受信する選択顧客属性対応付けデータ受信部と、
f) 前記選択顧客属性対応付けデータ受信部が受信した顧客属性対応付けデータに対応する情報提示関連データに基づき、画像の表示若しくは音の発出又はそれらの双方を行うための制御を行う情報提示制御部と
を備えることを特徴とする情報提示装置。
【請求項１３】
前記情報提示関連・顧客属性対応付けデータ受信部、前記データ保存部、前記顧客属性対応付けデータ送信部、及び前記選択顧客属性対応付けデータ受信部は、近距離無線通信機能付きリムーバブルメディアから成ることを特徴とする請求項１２に記載の情報提示装置。
【請求項１４】
携帯情報端末を、
該携帯情報端末を所有する顧客の属性を示す顧客属性データを保存する顧客属性データ保存部と、
該携帯情報端末が第２の態様の情報提示装置に接近したことを検出する情報提示装置接近検出部と、
前記情報提示装置が接近したことを前記携帯情報端末接近検出部が検出したとき、前記情報提示装置の前記顧客属性対応付けデータ送信部から、前記データ保存部に保存されている複数の前記顧客属性対応付けデータを受信する携帯情報端末側データ受信部と、
前記顧客属性データ保存部に保存された顧客属性データに基づいて、前記携帯情報端末側データ受信部が受信した複数の顧客属性対応付けデータから選択する顧客属性対応付けデータ選択部と、
前記顧客属性対応付けデータ選択部で選択された顧客属性対応付けデータを前記情報提示装置の前記選択顧客属性対応付けデータ受信部に送信する携帯情報端末側データ送信部と
を備えることを特徴とする携帯情報端末用プログラム。
【手続補正２】
【補正対象書類名】明細書
【補正対象項目名】００２２
【補正方法】変更
【補正の内容】
【００２２】
情報提示装置がこのような滞在時間情報送信部を備えることにより、顧客携帯情報端末を携帯する顧客が当該情報提示装置の近傍に接近した時刻及び該近傍から離れた時刻のデータがサーバに蓄積される。これら2つの時刻の差は、顧客が情報提示装置の近傍に滞在していた時間の長さを示しており、この滞在時間のデータを、広告宣伝等の情報提示の効果を評価する材料として用いることができる。なお、ここでいう情報提示の効果には、商品や役務の売り上げやイベントの集客等に直接的に結びつく効果のみならず、顧客に商品、役務、イベント等を認知させるという効果等も含まれる。また、滞在時間情報送信部を備える情報提示装置を複数個配置することにより、個々の顧客の店舗での滞在時間や移動経路（動線）といった情報を得ることができる。